(57)【要約】【課題】  画像形成装置の電源管理が容易であり，かつ使用されるスイッチの単価が下げられる画像形成装置の電源装置を提供する。【解決手段】  本電源装置は，交流を整流して所定の直流に変換し，これを画像形成装置を構成する少なくとも１つの機能モジュールの動作電源として印加する電源部と，前記電源部の出力端と前記各機能モジュールの電源入力端との間に設けられる切り替え部と，前記画像形成装置の電力管理モードへの進入時，前記切り替え部をターンオフする制御部，および前記電源部の出力端と前記制御部との間に設けられ，ターンオフ時，前記電源部の出力電圧を前記制御部に印加し，前記制御部に印加される前記出力電圧を電力管理モードを設定するための信号として印加する省電力スイッチと，を含む。【選択図】  図５
2005153534.tif 000002
【特許請求の範囲】
【請求項１】
交流を整流して所定の直流に変換し，前記電流を画像形成装置を構成する少なくとも１つの機能モジュールの動作電源として印加する電源部と；
前記電源部の出力端と前記各機能モジュールの電源入力端との間に設けられる切り替え部と；
前記画像形成装置の電力管理モードへの進入時，前記切り替え部をターンオフする制御部と；
前記電源部の出力端と前記制御部との間に設けられ，ターンオン時，前記電源部の出力電圧を前記制御部へ印加し，前記制御部へ印加される前記出力電圧を，電力管理モードを設定するための信号として印加する節電スイッチと；
を含むことを特徴とする，画像形成装置の電源装置。
【請求項２】
前記スイッチは，前記画像形成装置を操作するために画像形成装置本体のいずれか一方面に取り付けられるパネル操作部に備えられることを特徴とする，請求項１に記載の画像形成装置の電源装置。
【請求項３】
前記画像形成装置は，
前記機能モジュールの取替えのためのカバー体と，
前記カバー体の開放を検知するためのカバー体開放センサと，
を備え，
前記カバー体開放センサによる検知の結果，前記カバー体が開けられたと判断されれば，前記切り替え部をターンオフすることを特徴とする，請求項１に記載の画像形成装置の電源装置。
【請求項４】
前記切り替え部は，
前記電源部の出力端と前記機能モジュールとの間にリレー接点が接続され，前記リレー接点の駆動のための駆動コイルの一方側が前記電源部の出力端に接続されるリレーと，
エミッタ端が前記駆動コイルの他方側に接続され，コレクタ端が接地端に接続され，ベース端が前記電力管理モードを設定するための信号に応答するトランジスタと，
を含むことを特徴とする，請求項１に記載の画像形成装置の電源装置。
【請求項５】
印刷データに相応する印刷作業を行う印刷エンジン部と；
前記印刷データを画像データの形態に変換処理する画像処理部と；
前記画像データに相応する印刷作業を行うように前記印刷エンジン部を制御するエンジン制御部と；
前記印刷エンジン部，前記画像処理部，および前記エンジン制御部を駆動するための電源部と；
を含み，
前記電源部は，前記電源部の出力電圧を断続するリレーを備え，
前記リレーは，前記印刷エンジン部，前記画像処理部，および前記エンジン制御部を備える画像形成装置の省電力管理モードへの進入時，前記エンジン制御部によりターンオフすることを特徴とする，画像形成装置の電源装置。
【請求項６】
前記画像形成装置は，前記画像形成装置を操作するために画像形成装置のいずれか一方面に取り付けられるパネル操作部に設けられ，前記リレーをターンオフするためのスイッチをさらに含むことを特徴とする，請求項５に記載の画像形成装置の電源装置。
【請求項７】
前記画像形成装置は，前記画像形成装置を操作するために画像形成装置のいずれか一方面に取り付けられるパネル操作部に設けられ，前記電源部の出力電圧を断続するためのスイッチをさらに含むことを特徴とする，請求項５に記載の画像形成装置の電源装置。
【請求項８】
前記電力管理モードは，前記印刷データが前記画像処理装置へ所定の時間送られてこない時，前記印刷エンジン部に供給される電源を遮断および減少させるためのモードであることを特徴とする，請求項５に記載の画像形成装置の電源装置。
【請求項９】
前記電力管理モードは，前記画像形成装置の内部と外部とを遮るカバー体の開放時における前記リレーの駆動により設定されることを特徴とする，請求項５に記載の画像形成装置の電源装置。
【発明の詳細な説明】
【技術分野】
【０００１】
本発明は，画像形成装置の電源装置に係り，特に，画像形成装置の省電力化を図りつつユーザの安全を考慮した電源管理機能付き画像形成装置の電源装置に関する。
【背景技術】
【０００２】
一般に，レーザプリンタ，デジタル複写機，ファクシミリなどのような画像形成装置は，高温・高圧の環境下で駆動する。レーザプリンタの場合，感光ドラム（ＯＰＣ；Ｏｒｇａｎｉｃ  Ｐｈｏｔｏ  Ｃｏｎｄｕｃｔｏｒ）に帯電する電圧は，数百Ｖを上回り，トナーを記録紙に圧着させるために記録紙を高温（例えば，２００℃）の定着ローラーを通らせる。このように，高温・高圧の環境下で駆動する画像形成装置では，トナーの取替えや，記録紙のジャムなどの理由からユーザがしばしば画像形成装置のカバー体を開ける必要があるところ，カバー体を開ける際には，ユーザの安全のために，通常，画像形成装置へ印加される電源を切っている。
【０００３】
図１は，従来の画像形成装置に組み込まれる電源装置の一例に係る回路図を示す。
【０００４】
図１に示す電源装置は，スイッチ１，ＥＭＣフィルタ２，第一の整流部３，切り替え制御部４，トランス５，第二の整流部６，インターロック・スイッチ７を有する。
【０００５】
スイッチ１は，商用交流（ＡＣ，単に交流ともいう。）とＥＭＣフィルタ２との間に接続され，画像形成装置の外部へ突出しユーザによる画像形成装置のオン・オフに用いられる。従って，スイッチ１は，ユーザにより頻繁に触れられたりすることがないところ，通常，画像形成装置の背面，または側面に設けられていることからその操作が不便であり，交流（ＡＣ）をＥＭＣフィルタ２へ印加する必要があるため，耐電圧および耐電流値の大きいスイッチが使用される。耐電圧および耐電流値の大きいスイッチは，かさばるものであり，一個当たりの単価も高く，画像形成装置の製造コストをアップさせる要因になる。
【０００６】
ＥＭＣフィルタ２は，交流（ＡＣ）に含まれているノイズを減少させる。通常，ＥＭＣフィルタ２は，交流（ＡＣ）と直列および並列接続されるコイルとキャパシタからなる。
【０００７】
第一の整流部３は，ＥＭＣフィルタ２を通った交流（ＡＣ）を整流して直流に変換する。図１では，ブリッジ接続されたダイオードとブリッジ接続されたダイオードの出力を平滑化するキャパシタからなる整流回路が示されている。切り替え制御部４は，トランス５を流れる直流を切り替えることでトランス５の第一次側に形成された電流パスを断続する。
【０００８】
トランス５は，切り替え制御部４により断続され交流を誘起する。第二の整流部６は，トランス５で誘起された交流を再び整流し，適正の電圧（例えば，２４Ｖ）の直流を生成する。インターロック・スイッチ７は，第二の整流部６の出力端と画像形成装置に備えられる多数の機能モジュール８との間に接続され，第二の整流部６の出力をオン・オフする。
【０００９】
一方，インターロック・スイッチ７は，カバー体の動きに連動する。これは，画像形成装置の駆動中における記録紙のジャムを解消するためにカバー体を開けたり，トナーの取替えなどのためにカバー体を開けたりする際，高温・高圧で駆動する画像形成装置からユーザの安全を守るためのものであって，インターロック・スイッチ７がカバー体の開放によりターンオフすれば，画像形成装置の各機能モジュール８に供給される電源は遮られる。
【００１０】
一方，前記画像形成装置，例えば，レーザプリンタの場合，印刷待ち状態である時の消費電力が，通常，７０〜１００Ｗを超え，アイドル状態の時も１０〜２０Ｗ程度の電力を消耗する。これは，印刷待ち状態の時も記録紙にトナーを定着させるための定着部を予熱しておく必要があるためであり，アイドル状態の時，定着部へ印加される電源が遮られても，電源装置に接続されている各機能モジュール８で消耗する電力により消費電力は，１０〜２０Ｗに至る。この結果，レーザプリンタ，デジタル複写機，およびファクシミリなどのような画像形成装置の使用時，駆動しない間にも不要な電力の消耗が発生するという不具合がある。
【発明の開示】
【発明が解決しようとする課題】
【００１１】
本発明は，前記のような従来の問題点を解決するためになされたものであって，その目的は，画像形成装置の電源管理が容易であり，かつ使用されるスイッチの単価が下げられる画像形成装置の電源装置を提供することにある。
【課題を解決するための手段】
【００１２】
前記目的は，本発明に係る，交流を整流して所定の直流に変換し，これを画像形成装置を構成する少なくとも１つの機能モジュールの動作電源として印加する電源部と，前記電源部の出力端と前記各機能モジュールの電源入力端との間に設けられる切り替え部と，前記画像形成装置の電力管理モードへの進入時，前記切り替え部をターンオフする制御部，および前記電源部の出力端と前記制御部との間に設けられ，ターンオン時，前記電源部の出力電圧を前記制御部へ印加し，前記制御部へ印加される前記出力電圧を電力管理モードを設定するための信号として印加する節電スイッチと，を含む電源装置により達成される。
【００１３】
前記スイッチは，前記画像形成装置を操作するために画像形成装置本体のいずれか一方面に取り付けられるパネル操作部に備えられることが好ましい。
【００１４】
前記画像形成装置は，前記機能モジュールの取替えのためのカバー体，および前記カバー体の開放を検知するためのカバー体開放センサと，を備え，前記カバー体開放センサによる検知の結果，前記カバー体が開けられたと判断されれば，前記切り替え部をターンオフすることが好ましい。
【００１５】
前記切り替え部は，前記電源部の出力端と前記機能モジュールとの間にリレー接点が接続され，前記リレー接点の駆動のための駆動コイルの一方側が前記電源部の出力端に接続されるリレー，およびエミッタ端が前記駆動コイルの他方側に接続されコレクタ端が接地端に接続され，ベース端（基端）が前記電力管理モードを設定するための信号に応答するトランジスタと，を含むことが好ましい。
【００１６】
前記目的は，本発明に係る，印刷データに相応する印刷作業を行う印刷エンジン部と，前記印刷データを画像データの形態に変換処理する画像処理部と，前記画像データに相応する印刷作業を行うように前記印刷エンジン部を制御するエンジン制御部，および前記印刷エンジン部，前記画像処理部，および前記エンジン制御部を駆動するための電源部と，を含み，前記電源部は，前記電源部の出力電圧を断続するリレーを備え，前記リレーは，前記印刷エンジン部，前記画像処理部，および前記エンジン制御部を備える画像形成装置の省電力管理モードへの進入時，前記エンジン制御部によりターンオフする画像形成装置により達成される。
【００１７】
好ましくは，前記画像形成装置は，前記画像形成装置を操作するために画像形成装置のいずれか一方面に取り付けられるパネル操作部に設けられ，前記リレーをターンオフするためのスイッチをさらに含む。
【００１８】
好ましくは，前記画像形成装置は，前記画像形成装置を操作するために画像形成装置のいずれか一方面に取り付けられるパネル操作部に設けられ，前記電源部の出力電圧を断続するためのスイッチをさらに含む。
【００１９】
前記電力管理モードは，前記印刷データが前記画像処理装置へ所定の時間送られてこない時，前記印刷エンジン部に供給される電源を遮断および減少させるためのモードであることが好ましい。
【００２０】
前記電力管理モードは，前記画像形成装置の内部と外部とを遮るカバー体の開放時における前記リレーの駆動により設定される（行われる）ことが好ましい。
【発明の効果】
【００２１】
前記のように，本発明は，電源装置のリレーとパネル操作部に備えられるスイッチとリレーを介して効率よい電力管理が可能であり，ユーザの所望する時点でこれが行えるようにすることにより，電力消耗の大きいレーザプリンタ，デジタル複写機，ファクシミリ，およびこれらの組み合わせからなる複合機などに広く応用可能である。また，交流に直接スイッチを取り付けないことから，耐電圧および耐電流特性の低いスイッチが採択可能であるため，画像形成装置のコストの節減といった効果も得られる。
【発明を実施するための最良の形態】
【００２２】
以下に添付図面を参照しながら，本発明の好適な実施形態について詳細に説明する。なお，本明細書および図面において，実質的に同一の機能構成を有する構成要素については，同一の符号を付することにより重複説明を省略する。
【００２３】
図２は，本発明に係る電源装置を備える画像形成装置のブロック概念図を示す。
【００２４】
図２に示す画像形成装置は，画像処理部２０，電源供給部（ＳＭＰＳ）３０，エンジン制御部４０，スイッチ４５，高圧生成部（ＨＶＰＳ）５０，および印刷エンジン部６０を有する。
【００２５】
画像処理部２０は，ホストコンピューター１０から送られてくる印刷データをエンジン制御部４０で処理可能な画像データ，例えば，ビットマップ形式のデータに変換する。電源供給部（ＳＭＰＳ）３０は，画像処理部２０，エンジン制御部４０，高圧生成部５０，および印刷エンジン部６０を駆動するための電源を生成する。
【００２６】
電源供給部（ＳＭＰＳ）３０は，交流（ＡＣ）を整流して直流に変換し，これを所定の電圧（例えば，２４Ｖ）にして出力し，出力端Ｖｏにリレー３１を接続して出力電圧が断続できるようにする。リレー３１は，エンジン制御部４０から出力される制御信号（Ｐ＿ＳＡＶＥ）により制御されオン・オフする。この時，電源供給部（ＳＭＰＳ）３０の出力電圧は，高圧生成部（ＨＶＰＳ）５０からの出力電圧また交流（ＡＣ）に比べて非常に低いため，電源供給部（ＳＭＰＳ）３０に備えられるリレー３１の耐電圧および耐電流値は，非常に小さい値であってもよい。すなわち，従来の交流（ＡＣ）を切り替えるためのスイッチに比べて安価のスイッチを使用することができるわけである。
【００２７】
エンジン制御部４０は，画像処理部２０から送られてくる画像データにより印刷エンジン部６０の駆動を制御する。エンジン制御部４０は，画像形成装置に備えられる各種のセンサ，例えば，カバー体（図示せず）に組み付けられてカバー体の開放を検知したり，定着部６６の温度を検知したりするセンサ（図示せず）より情報を読み込み，これに基づいて印刷エンジン部６０を制御する。ユーザがトナーの取替えのためにカバー体を開ける際，エンジン制御部４０は，センサ（図示せず）により発生する信号（ＣＯＶＥＲ＿ＯＰＥＮ）に応答してリレー３１をターンオフするための制御信号（Ｐ＿ＳＡＶＥ）を電源供給部（ＳＭＰＳ）３０へ送り，電源供給部（ＳＭＰＳ）３０から高圧生成部（ＨＶＰＳ）５０へ印加される電圧を遮る。この結果，ユーザがカバー体を開ける際における，ユーザの安全が保障できる。
【００２８】
一方，画像処理部２０を介してビットマップ形式のデータが所定の時間（例えば，３０分）以上送られてこない場合，エンジン制御部は，通常，これをスタンバイ状態と認識し，スタンバイ状態で，所定の時間（例えば，１５分）がさらに過ぎてもビットマップ形式のデータが送られてこない場合，エンジン制御部４０は，これをアイドル状態と認識し，制御信号（Ｐ＿ＳＡＶＥ）をリレー３１へ出力する。制御信号（Ｐ＿ＳＡＶＥ）によりリレー３１がターンオフすれば，電源供給部（ＳＭＰＳ）３０から高圧生成部（ＨＶＰＳ）５０へ印加される電圧が遮られるため，画像形成装置の消耗電力が数Ｗ以下（例えば，１Ｗ以下）になる。
【００２９】
スイッチ４５は，電源供給部（ＳＭＰＳ）３０とエンジン制御部４０との間に設けられる。スイッチ４５は，電源供給部（ＳＭＰＳ）３０からの出力電圧をエンジン制御部４０へ電力管理モードの設定信号（Ｕ＿ＳＡＶＥ）として印加する。スイッチ４５の短絡時，エンジン制御部４０は，リレー３１をターンオフすることで画像形成装置の電力消耗を最小化する。すなわち，本実施形態では，ユーザによる操作により任意に画像形成装置の省電力化を図るところ，スイッチ４５が，ユーザが操作し易いパネル操作部（図示せず）に配設されることが好ましい。
【００３０】
印刷エンジン部６０は，エンジン制御部４０により駆動され，紙のような印刷媒体に所定の画像を具現し，モータ，ローラー，および感光ドラムのような機械的な装置からなる。
【００３１】
図３は，本発明による電源装置を備える画像形成装置の他の実施形態に係るブロック概念図を示す。
【００３２】
図３に示す画像形成装置は，図２に示す画像形成装置と類似し，図２に示すスイッチ４５の位置をリレー３１の出力端と高圧生成部（ＨＶＰＳ）５０との間に設けることにより，高圧生成部（ＨＶＰＳ）５０へ印加される電源供給部（ＳＭＰＳ）３０からの電圧が完全に遮られるという点で相違している。図３に示す残りの構成要素の動作は，図２を参照して説明した動作と同一であるため，以下，その詳細を省くことにする。
【００３３】
図４は，本発明によるまた他の実施形態に係る電源装置の回路図を示す。
【００３４】
図４に示す電源装置は，ヒューズ１０１，ＥＭＣフィルタ１０２，第一の整流部１０３，切り替え制御部１０４，トランス１０５，第二の整流部１０６，切り替え部１０７，制御部１０８，およびインターロック・スイッチ１０９を有する。
【００３５】
ヒューズ１０１は，交流（ＡＣ）とＥＭＣフィルタ１０２との間に接続され，交流（ＡＣ）が過電圧である時，ＥＭＣフィルタ１０２へ印加される交流（ＡＣ）を遮ることで電源装置を保護する。
【００３６】
ＥＭＣフィルタ１０２は，交流（ＡＣ）に含まれているノイズを減少させる。通常，ＥＭＣフィルタ１０２は，交流（ＡＣ）と直列および並列接続されるコイルとキャパシタからなる。
【００３７】
第一の整流部１０３は，ＥＭＣフィルタ１０２を通った交流（ＡＣ）を整流して直流に変換する。図４では，変換効率が８０％以上のブリッジ整流方式による整流回路が示されており，ブリッジ整流方式により整流された電圧をキャパシタにより平滑化している。
【００３８】
切り替え制御部（ＰＷＭ）１０４は，予め設定されたパルス幅に応じたＰＷＭ（Ｐｕｌｓｅ  Ｗｉｄｔｈ  Ｍｏｄｕｌａｔｉｏｎ）パルスにてトランス１０５を流れる直流を切り替えることでトランス１０５の第一次側に形成された電流パスを断続する。この結果，トランス１０５は，切り替え制御部１０４により断続され第二次側に交流を誘起する。この時，トランス１０５の第一次側と第二次側の巻線比はｎ：１であり，第一次側に流れ込まれた電圧に比べて低い電圧の交流を出力する。
【００３９】
第二の整流部１０６は，トランス１０５の第二次側から出力される交流を整流して適正の電圧（例えば，２４Ｖ）の直流に変換し，これを切り替え部１０７へ印加する。
【００４０】
切り替え部１０７は，高圧生成部（ＨＶＰＳ），モータ，定着部などのような各機能モジュール１１０の電源入力端（図示せず）と第二の整流部１０６の出力端Ｖｏとの間に設けられ，制御部１０８から出力される電力管理信号（Ｐ＿ＣＯＮＴ）に応答してオン・オフするトランジスタ１０７ｂと，トランジスタ１０７ｂのターンオン時に第二の整流部１０６の出力端Ｖｏと接地端との間に接続された駆動コイルにより第二の整流部１０６の出力電圧を各機能モジュール１１０へ印加するリレー接点を備えるリレー１０７ａと，からなる。切り替え部１０７のターンオフ時，第二の整流部１０６の出力電圧が各機能モジュール１１０へ印加されないため，各機能モジュールによる電力消耗は発生しない。切り替え部１０７は，画像形成装置がアイドル状態，およびカバー体の開放状態である時点で，制御部１０８からトランジスタ１０７ｂのベース端へ電力管理信号（Ｐ＿ＣＯＮＴ）が送られるとターンオフする。
【００４１】
制御部１０８は，ユーザがトナーの取替えのためにカバー体を開ける時，これを検知するセンサ（図示せず）から発生する信号（Ｃ＿ＯＰＥＮ）に応答してリレー３１をターンオフするための電力管理信号（Ｐ＿ＣＯＮＴ）を切り替え部１０７へ出力する。切り替え部１０７のトランジスタ１０７ｂは，電力管理信号（Ｐ＿ＣＯＮＴ）が論理“ハイ”である時にターンオンし，リレー１０７ａに組み込まれている駆動コイルに電流パスを提供する。この結果，リレー１０７ａのターンオン時，第二の整流部１０６の出力端Ｖｏから出力される出力電圧は，画像形成装置に備えられる各機能モジュール１１０へ印加される。逆に，電力管理信号（Ｐ＿ＣＯＮＴ）が論理“ロー”であれば，トランジスタ１０７ｂがターンオフすることでリレー１０７ａがターンオフするため，各機能モジュール１１０への電圧の供給が中断する。この結果，画像形成装置の省電力化が図られる。
【００４２】
スイッチ１０９は，画像形成装置の外部に備えられ，ユーザによるアクセスが容易なパネル操作部（図示せず）に設けられる。これは，ユーザが画像形成装置の省電力化のためにスイッチを操作するに際する，スイッチの操作性を向上するためである。
【００４３】
スイッチ１０９は，第二の整流部１０６の出力端Ｖｏと制御部１０８との間に設けられ，ターンオン時，第二の整流部１０６からの出力電圧を制御部１０８へ印加する。制御部１０８は，スイッチ１０９により第二の整流部１０６の出力電圧が印加されれば，これに応答して論理“ロー”の電力管理信号（Ｐ＿ＣＯＮＴ）を切り替え部１０７へ出力する。ここで，制御部１０７が単一のプロセッサからなる場合，スイッチ１０９は，第二の整流部１０６の出力端Ｖｏと通常のプロセッサに備えられるインタラプト・ピンとの間に接続されればよい。一方，本実施形態では，制御回路を別体にした例を示しているが，画像形成装置を構成する画像処理部またはエンジン制御部に組み込んでもよい。
【００４４】
図５は，図４に示すスイッチ１０９が実際の画像形成装置に設けられる位置を簡略に示す図である。
【００４５】
図５に示す画像形成装置は，レーザプリンタ２００であって，トナーの取替えのためのカバー体２１０およびユーザがレーザプリンタ２００を制御するためのパネル操作部２２０を備える。図５に示すように，パネル操作部２２０は，レーザプリンタの状態を表示するための表示装置２２１，レーザプリンタを制御するためのメニューを呼び出すメニューキー２２２，メニューキーにより表示装置２２１に表示されたメニューを選択するための移動キー２２３，レーザプリンタに設定された所定の設定値を加減するための設定値キー２２４，およびスイッチ（ＰＯＷＥＲ＿ＳＡＶＥ）２２５が設けられる。
【００４６】
図５中のスイッチ（ＰＯＷＥＲ  ＳＡＶＥ）２２５は，図４に示すスイッチ１０９と同一のものであって，図５からユーザがレーザプリンタ２００の省電力化のために押し易い位置に設けられていることが分かる。参考までに，カバー体２１０の開放は，トナーの取替えのみならず，レーザプリンタ２００の印刷中における紙ジャムの場合と，レーザプリンタの掃除，およびメンテナンスのためにも開けることがある。この場合，カバー体２１０の開放を検知するセンサ（図示せず）から発生する制御信号（Ｃ＿ＯＰＥＮ）によりレーザプリンタ２００の高圧生成部（ＨＶＰＳ）５０へ印加される電圧が遮られ，ユーザを高圧から保護するようになる。
【００４７】
また，パネル操作部２２０に設けられるスイッチ（ＰＯＷＥＲ＿ＳＡＶＥ）２２５としては，交流（ＡＣ）の直接的な切り替えを行う従来のスイッチに比べて耐電圧および耐電流特性の低いものを使用することができる。この結果，レーザプリンタ２００に取り付けられるスイッチ（ＰＯＷＥＲ＿ＳＡＶＥ）２２５の単価を下げることができ，スイッチ（ＰＯＷＥＲ＿ＳＡＶＥ）２２５をパネル操作部２２０に配設することにより，ユーザの所望する時点で簡便にレーザプリンタ２２０の省電力化を図ることができるという長所がある。
【００４８】
以上では，本発明の好適な実施形態について図示し説明したが，本発明は，上述した特定の実施形態に限定されるものではなく，特許請求の範囲で請求している本発明の要旨を逸脱することなく当該発明の属する技術分野における通常の知識を有する者であれば誰でも種々の変形実施が可能であることはもとより，そのような変更は，本発明の特許請求の範囲に含まれることは自明である。
【産業上の利用可能性】
【００４９】
本発明は，画像形成装置の電源装置に係り，特に，画像形成装置の省電力化を図りつつユーザの安全を考慮した電源管理機能付き画像形成装置の電源装置に係る。
【図面の簡単な説明】
【００５０】
【図１】従来の画像形成装置に組み込まれる電源装置の一例に係る回路図である。
【図２】電源装置を備える画像形成装置を概念的に示すブロック図である。
【図３】他の実施形態に係る電源装置を備える画像形成装置を概念的に示すブロック図である。
【図４】また他の実施形態に係る電源装置の回路を示す説明図である。
【図５】図４に示すスイッチが実際の画像形成装置に設けられる位置を簡略に示す説明図である。
【符号の説明】
【００５１】
１０１  ヒューズ
１０２  ＥＭＣフィルタ部
１０３  第一の整流部
１０４  切り替え制御部
１０５  トランス
１０６  第二の整流部
１０７  切り替え部
１０７ａ  リレー
１０７ｂ  トランジスタ
１０８  制御部
１０９  スイッチ
１１０  機能モジュール
【図１】
2005153534.tif 000003
【図２】
2005153534.tif 000004
【図３】
2005153534.tif 000005
【図４】
2005153534.tif 000006
【図５】
2005153534.tif 000007